(57)【要約】  本発明は、特にスポーツ活動用のヘッドバンドに冠する。ヘッドバンド（１）の内側には、全周にわたって延びる少なくとも１つのポケット（１１，１２）が、日よけ手段（２，３，４）を収容するために配置されている。
2008533325.tif 000002
【特許請求の範囲】
【請求項１】
殊にスポーツ活動のためのヘッドバンドであって、当該ヘッドバンド（１）の内側に、日よけ手段（２，３，４）を収容するために円周方向で延びている少なくとも１つのポケット（１１，１２）が配置されていることを特徴とする、ヘッドバンド。
【請求項２】
ポケット（１１，１２）が、スライドファスナまたは面ファスナ（１１１，１２１）により閉鎖可能に構成されている、請求項１記載のヘッドバンド。
【請求項３】
当該ヘッドバンド（１）に、視界確保手段（２）が設けられており、該視界確保手段（２）が、ポケット（１１）に収納可能である、請求項１または２記載のヘッドバンド。
【請求項４】
視界確保手段（２）が、主に編地から製造されている、請求項３記載のヘッドバンド。
【請求項５】
視界確保手段（２）が、ネオプレンインレイを有している、請求項３または４記載のヘッドバンド。
【請求項６】
視界確保手段（２）が、当該ヘッドバンド（１）の内側に解離可能に配置されている、請求項３から５までのいずれか一項記載のヘッドバンド。
【請求項７】
当該ヘッドバンド（１）に、頭巾（４）が設けられており、該頭巾（４）が、ポケット（１２）に収納可能である、請求項１から６までのいずれか一項記載のヘッドバンド。
【請求項８】
頭巾（４）が、管状に形成されており、中央の開口が、好ましくは弾性的な引き紐（４１）を介して閉鎖可能である、請求項７記載のヘッドバンド。
【請求項９】
引き紐（４１）が、ストッパ（４２）を備えている、請求項８記載のヘッドバンド。
【請求項１０】
頭巾（４）が、当該ヘッドバンド（１）の内側で、当該ヘッドバンド（１）と解離可能に結合されている、請求項７から９までのいずれか一項記載のヘッドバンド。
【請求項１１】
当該ヘッドバンド（１）に、首筋保護手段（３）が設けられており、該首筋保護手段（３）が、ポケット（１１）に収納可能である、請求項１から１０までのいずれか一項記載のヘッドバンド。
【請求項１２】
首筋保護手段（３）が、少なくとも１つの通気領域（３１）を有している、請求項１１記載のヘッドバンド。
【請求項１３】
通気領域（３１）が、ジャカード織から成っている、請求項１１または１２記載のヘッドバンド。
【請求項１４】
視界確保手段（２）および／または頭巾（４）および／または首筋保護手段（３）が、ＵＶ遮断繊維から製造されている、請求項１から１３までのいずれか一項記載のヘッドバンド。
【発明の詳細な説明】
【技術分野】
【０００１】
本発明は、特にスポーツ活動用のヘッドバンドに関する。
【０００２】
当該ヘッドバンドは、ジョギング、スキー、インラインスケートといったスポーツ活動の際に様々な役割を果たしている。まずヘッドバンドは汗を吸収するために働く。さらに、ヘッドバンドは繊細な額・耳領域を、蒸発した汗または冷たい風による過度な冷えから守ってくれる。ふちなしの帽子、つまりキャップとは異なり、ヘッドバンドは、スポーツ活動時の頭部の高められた熱放出は妨げられることなく行われるので、熱が蓄積されることはないという利点を有している。
【０００３】
しかしまさに比較的暖かな季節における活動時、たとえば真夏にテニスする際、または比較的高所で、たとえばスキーをする際には、頭部を過度な太陽放射から保護することが必須である。さらに、強烈な太陽放射は視界の妨げになることがある。このような場合には付加的な日よけ手段が必要である。たとえばいわゆる「野球キャップ」が公知である。この野球キャップは、ひさしを有している。このひさしは目を影で覆い、付加的に頭部を過度なＵＶ照射から保護している。このことは特に薄い頭髪の場合に保護されない頭皮には必要不可欠である。しかし汗を十分に吸収することができないので、しばしば付加的にヘッドバンドの上に支持されている野球キャップの欠点は、この野球キャップが、帽子同様に頭部での過度な蓄熱の原因になることがあるという点である。さらに、このような付加的な日よけ手段の携行は、必然的に制限されてしか設けられていない搬送キャパシタンスのかなりの部分を要求する。
【０００４】
ここで、本発明は対策手段を提供するつもりである。本発明の課題は、特にスポーツ活動のためのヘッドバンドを改良して、付加的な搬送キャパシタンスを要求せずに日よけ手段の携行を可能にする形式のものを提供することである。本発明によれば、この課題は、ヘッドバンドの内側に、日よけ手段を収容するための円周方向で延びている少なくとも１つのポケットが配置されていることにより解決される。
【０００５】
本発明により、特にスポーツ活動のためのヘッドバンドが提供されていて、このヘッドバンドは、付加的な搬送キャパシタンスを要求せずに日よけ手段の携行を可能にする。有利には、ポケットが、たとえばスライドファスナまたは面ファスナにより閉鎖可能に構成されている。
【０００６】
本発明に係るヘッドバンドは、殊にスポーツ活動のためのヘッドバンドであって、当該ヘッドバンドの内側に、日よけ手段を収容するために円周方向で延びている少なくとも１つのポケットが配置されていることを特徴とする。
【０００７】
本発明の構成では、ヘッドバンドに、ポケットに収納可能である視界確保手段が設けられている。これにより強烈な太陽放射による視界妨害は抑えられる。
【０００８】
有利には、視界確保手段は主に編地から成っている。これにより、視界確保手段は、頭部で局地的な押圧個所の原因を作ることなく、一様にポケットに収納可能である。
【０００９】
本発明の別の構成では、視界確保手段はネオプレンインレイを有している。これにより、視界確保手段の剛性が、良好なフレキシビリティと収納性と同時に保証されている。
【００１０】
有利には、視界確保手段は、ヘッドバンドの内側に解離可能に配置されている。これにより手入れの理由から視界確保手段の取外しが可能になるか、または壊れた視界確保手段の交換が可能になる。
【００１１】
本発明のさらに別の構成では、ヘッドバンドに、ポケットに収納可能な頭巾が設けられている。これにより、過度な太陽放射からの頭部の保護が保証される。
【００１２】
有利には、頭巾は管状に形成されている。この場合、中央の開口は有利には弾性の引き紐によって閉鎖可能である。これにより、頭巾は良好に収納可能であり、同時にヘッドバンド着用者の頭部サイズに最適に適合可能である。さらに、開口は頭部への頭巾の適合時にも完全に閉鎖されることはないので、頭部側で発生する熱を逃がすことができる。有利には、引き紐はストッパを備えている。
【００１３】
本発明のさらに別の構成では、頭巾が、ヘッドバンドの内側でヘッドバンドと解離可能に結合されている。これにより、頭巾のヘッドバンドからの簡単な取外しが、手入れの理由から、または壊れた頭巾の交換のために可能になる。
【００１４】
本発明のさらに別の構成では、ヘッドバンドに、ポケットに収納可能な首筋保護手段が設けられている。これにより、特に日焼けの危険にさらされている首筋の保護が可能になる。
【００１５】
有利には、首筋保護手段は、ジャカード織から成る少なくとも１つの通気領域を有している。これにより首筋の領域における蓄熱は抑えられる。
【００１６】
有利には、視界確保手段および／または頭巾および／または首筋保護手段は、ＵＶ遮断繊維から製造されている。これにより、過度のＵＶ放射に対する頭部の保護がさらに高められる。
【００１７】
本発明に係るヘッドバンドは、有利には、ポケットが、スライドファスナまたは面ファスナにより閉鎖可能に構成されている。
【００１８】
本発明に係るヘッドバンドは、有利には、当該ヘッドバンドに、視界確保手段が設けられており、該視界確保手段が、前記ポケットに収納可能である。
【００１９】
本発明に係るヘッドバンドは、有利には、視界確保手段が、主に編地から製造されている。
【００２０】
本発明に係るヘッドバンドは、有利には、視界確保手段が、ネオプレンインレイを有している。
【００２１】
本発明に係るヘッドバンドは、有利には、視界確保手段が、当該ヘッドバンドの内側に解離可能に配置されている。
【００２２】
本発明に係るヘッドバンドは、有利には、当該ヘッドバンドに、頭巾が設けられており、該頭巾が、ポケットに収納可能である。
【００２３】
本発明に係るヘッドバンドは、有利には、頭巾が、管状に形成されており、中央の開口が、好ましくは弾性的な引き紐を介して閉鎖可能である。
【００２４】
本発明に係るヘッドバンドは、有利には、引き紐が、ストッパを備えている。
【００２５】
本発明に係るヘッドバンドは、有利には、頭巾が、当該ヘッドバンドの内側で、当該ヘッドバンドと解離可能に結合されている。
【００２６】
本発明に係るヘッドバンドは、有利には、当該ヘッドバンドに、首筋保護手段が設けられており、該首筋保護手段が、ポケットに収納可能である。
【００２７】
本発明に係るヘッドバンドは、有利には、首筋保護手段が、少なくとも１つの通気領域を有している。
【００２８】
本発明に係るヘッドバンドは、有利には、通気領域が、ジャカード織から成っている。
【００２９】
本発明に係るヘッドバンドは、有利には、視界確保手段および／または頭巾および／または首筋保護手段が、ＵＶ遮断繊維から製造されている。
【００３０】
本発明の別の改良形と構成とは、その他の従属請求項に記載されている。本発明の構成は図面に示されていて、以下に詳細に記載する。
【００３１】
実施例に選択されたヘッドバンド１には、視界確保手段２と、首筋保護手段３と、頭巾４とを備えている。
【００３２】
ヘッドバンド１は、吸収性のタオル織材料から製造されている。ヘッドバンド１の内側には、円周方向で延びるほぼ同じ大きさの２つのポケット１１，１２が形成されている。これらのポケット１１，１２は、サンドイッチ状に上下に位置決めされている。この場合、これらのポケット１１，１２のポケット底部は相対して配置されている。それぞれ外側を向いているポケット１１，１２の開口は、スライドファスナ１１１，１２１を介して閉鎖可能である。択一的には、たとえば面ファスナまたはスナップまたはこれらと同様の手段による別の閉鎖形式が可能である。
【００３３】
視界確保手段２は、キャップのひさしの形式で形成されている。視界確保手段２は、主にネオプレンインレイから成っている。このネオプレンインレイは編地によって取り囲まれている。視界確保手段２は、ヘッドバンド１の内側でポケット１１の内部に、ポケット１１のスライドファスナ１１１の外側の歯列が、視界確保手段２に載置していて、ヘッドバンド１の下側の縁部により覆われているように縫合されている。
【００３４】
ヘッドバンド１の視界確保手段２に相対する側に同じ形式で同じように首筋保護手段３が、ヘッドバンド１の内側でポケット１１の内部に縫い込まれている。首筋保護手段３は、ＵＶ遮断繊維（ＵＶカット）織物から製造された布である。首筋保護手段３のほぼ中央に通気領域３１が配置されている。この通気領域３１は、ジャカード織から形成されている。通気領域３１は、たとえばメーカーマークのデザインを有することができる。通気領域３１の、ヘッドバンド１とは反対の側で、首筋保護手段３は丸み付けされて形成されている。
【００３５】
ヘッドバンド１の、視界確保手段２とは相対する側に頭巾４がヘッドバンド１の内側に配置されている。頭巾４は管状に、たとえば弾性変形可能に形成されていて、ヘッドバンド１の内側でポケット１２の内部に、ポケット１２のスライドファスナ１２１の外側の歯列が、頭巾４に載置していて、ヘッドバンド１の上側の縁部によって覆われているように円周方向で延びるポケット１２と縫合されている。頭巾４のヘッドバンド１とは反対の縁部で、頭巾４に弾性的な引き紐４１が縫い込まれている。この引き紐４１はストッパ４２を備えている。頭巾４は、その形状において引き紐４１を介して変形可能であるので、頭巾４は着用者の頭部に適合可能である。引き紐４１を収縮させることにより中央の開口は閉鎖可能である。この開口はヘッドバンド１から頭巾４を広げる際にもたらされる（図４）。ほぼ閉鎖したヘッドドレス（図２）がもたらされる。頭巾４もＵＶカット織物から製造されている。
【００３６】
日よけ手段が必要ない場合には、視界確保手段２および首筋保護手段３を、ヘッドバンド１の内側に設けられているポケット１１内に収納することができる。このポケット１１は続いてスライドファスナ１１１を介して閉鎖される。このスライドファスナ１１１の操作部分は、ヘッドバンド１の内側で裾折り目（図示せず）内に隠すように配置することができる。頭巾４を収納するために、頭巾４は引き紐４１を緩めることにより、頭巾４の管状の基本形状になり、続いてヘッドバンド１の内側に設けられているポケット１２に収納される。このポケット１２はその後でスライドファスナ１２１によって閉鎖される。スライドファスナ１２１の操作部分は、裾折り目（図示せず）内に隠すように配置することができる。
【００３７】
別の構成では、ヘッドバンド１の内側に単に１つだけのポケットだけが配置された構成も考慮可能である。このポケットには、視界確保手段２と首筋保護手段３とを収納することができる。頭巾４は、たとえば丸められた形状で、ヘッドバンド１の頭巾４寄りの縁部に載置され、ストラップまたはそのようなものによって位置固定可能である。
【図面の簡単な説明】
【００３８】
【図１】視界確保手段と、頭巾と、首筋保護手段とを備えたヘッドバンドを示した図である。
【図２】視界確保手段と、頭巾と、首筋保護手段とが仕舞い込まれたヘッドバンドを示す図である。
【図３】ヘッドバンドの内側の概略図である。
【図４】ヘッドドレスの概略的な図である。
【図１】
2008533325.tif 000003
【図２】
2008533325.tif 000004
【図３】
2008533325.tif 000005
【図４】
2008533325.tif 000006
【国際調査報告】
2008533325.tif 000007
2008533325.tif 000008
2008533325.tif 000009
2008533325.tif 000010
2008533325.tif 000011
2008533325.tif 000012